(57)【要約】【課題】昔は美しかった海や湖、沼、貯水池などが人口の増加や住居接近、化学洗剤、化学薬品等の河川からの流入、ヘドロの堆積あるいは工業用水として途中での取水による流入量の減少などで水質悪化がいたる所で問題となり、濁り、アオコ、悪臭の発生防止、透明度の改善など水質浄化、環境改善が急務である。【解決手段】水には水深に応じた水圧がかかっている。その水圧に勝る空気圧力を造り水質浄化をはかる。あるいは環境改善の手段として、風力、環境浄化装置を考案した。電気でエアコンプレッサーを稼動させれば簡単ではあるが燃料費や設備費用が莫大にかかる。当考案は風という自然エネルギーにて風車を回し、これを動力源としてエアコンプレッサーを稼動させて、そこで造り出された圧縮空気を、パイプ、ホース等を用いて必要とするケ所に導き、放出さす装置で、安価であり、町工場で製作し運搬設置で実用に供する事が出来る。【選択図】図１
0003111354.tif 000002
【実用新案登録請求の範囲】
【請求項１】
自然エネルギーである風にて風車を回転させ、これを原動力としてエアコンプレッサーを稼動。これにて造り出された圧縮空気をエアタンクに貯え必要な圧力に高め、パイプやホース等で空気や酸素を必要とするケ所に導き放出する装置である。
【請求項２】
請求項１の装置を設置するケ所として、海では港湾内部、動植物の養殖場、湖、沼、貯水池、家屋やビニールハウス内部、飼育場、土壌内部、トンネル、地下、床下、その他水や空気の停留にて動植物の成育や環境が阻害されるケ所。
【請求項３】
設置方法として、塔や柱、杭、浮体、船などに請求項１の装置を取り付け、請求項２で記載した必要とするケ所の近辺に設置して用いる。
【請求項４】
風車軸よりエアコンプレッサーへの動力伝達方法として
１．歯車・オームギヤを用いたもの
２．プーリーとベルトに依るもの
３．風車又は軸に取り付けた回転体と、コンプレッサー側に取り付けた回転体との摩擦に依る方法
【請求項５】
風車が風を受ける水平方向の角度が変化しても３６０度以内で止まる様にストッパーを付け、パイプやホースの捩れを防止する。
【考案の詳細な説明】
【技術分野】
【０００１】風という自然エネルギーを利用して水質浄化、環境の改善や動植物の成育に寄与する事が出来ないかと考えた。人里離れた湖、沼、貯水池等に電線や電気を用いず、環境の改善という究極の目的に最良と思い考案した。しかも万一の事故の時、電気と水という危険要素の一つ電気がないので安全である。
【背景技術】
【０００２】現在、風車発電は研究もされ設置されつつある。私は風車プラス発電機という考えを、風車プラスエアコンプレッサーに置き換える考えに依って、圧縮空気を造り、必要とするケ所に放出さす事を考案した。
【考案の開示】
【考案が解決しようとする課題】
【０００３】風車を動力としてエアコンプレッサーを稼動させるという考案はあまり用いられていない。皆無ではないかと思う。それは風の強弱に依り圧力が常に一定しないという欠点があるからだと思う。しかし一定でなくてもその事に依って環境が改善されたり役立つものになれば、風車にエアコンプレッサーを連結する考えも悪くないと思った。
【課題を解決するための手段】
【０００４】風車の回転軸から直結又はプーリーとベルトあるいはチェーン又は歯車等を用いて適当な比率にし、エアコンプレッサーの動力源となりうる様にする。そこで発生させた圧縮空気をエアタンクに貯め必要圧力に高め，必要とするケ所にパイプやホースなどで導き放出さすのである。
【考案の効果】
【０００５】最近ニュースで湖、沼、貯水池等の濁りやアオコの発生、動植物の死滅、悪臭、環境の悪化が問題になっている。これを電源や電線を用いず安価に長期間、人里離れた所でも風力、環境浄化装置を設置し使用すれば問題解決になる。
【実用例１】
【０００６】庭先にビニールにて小池を造り水を貯めて、折りたたみ式梯子を風車台とし、風車軸にブイベルト用プーリーを付け、小型エアコンプレッサーにブイベルトにて回転動力を伝え圧縮空気を造り、エアタンクよりビニールホースを小池の底に導き小石を付けて沈めエアタンクのバルブを開けた、空気の気泡が立ち昇りきわめて良好であった。
【実用例２】
【０００７】２個のプラスチック容器に水を貯め、片方に
【０００６】の実験装置を設置し、片方は何もせずホコリ等が入らないようにして１５日間放置した。気泡発生の方は水はきれいであったが、一方は腐った。
【図面の簡単な説明】
【０００８】
【図１】風力、環境浄化装置の風車からエアコンプレッサーへの動力伝達に歯車を用いた図
【図２】風力、環境浄化装置の風車からエアコンプレッサーへの動力伝達にブイベルトを用いた図
【符号の説明】
【０００９】１    風車羽根
２    風車の回転軸
３    エアコンプレッサー
４    エアタンク
５  送気パイプ、又はホース
６    塔
７    湖底
８    水面
９    歯車
１０  プーリー
１１  ブイベルト
１２  気泡
１３  ベアリング
１４  ケース兼用の方向舵
１５  小穴
【図１】
0003111354.tif 000003
【図２】
0003111354.tif 000004
【手続補正書】
【提出日】平成16年10月6日(2004.10.6)
【手続補正１】
【補正対象書類名】実用新案登録請求の範囲
【補正対象項目名】全文
【補正方法】変更
【補正の内容】
【実用新案登録請求の範囲】
【請求項１】
風に依り回転する事が出来る風車の回転軸にエアコンプレッサーの回転軸をギヤ・プーリーとベルト又は回転体どうしの摩擦に依る方法で組み合わせし、圧縮空気を造りエアタンクに貯え、パイプ又はホースにて導き出す、風力、環境浄化装置。
【請求項２】
請求項１において
１．  歯車とオームギヤをもちいたもの
２．  プーリーとベルトに依るもの
３．  風車又は軸に取り付けた回転体とエアコンプレサー側に取り付けた回転体との摩擦に依るいづれかの方法にて動力伝達が出来る様にした事を特徴とした、風力、環境浄化装置。
【請求項３】
風車が風を受ける方向を制御するストッパーをもうけた事を特徴とする、請求項１に記載の、風力、環境浄化装置。
【手続補正書】
【提出日】平成17年3月15日(2005.3.15)
【手続補正１】
【補正対象書類名】実用新案登録請求の範囲
【補正対象項目名】全文
【補正方法】変更
【補正の内容】
【実用新案登録請求の範囲】
【請求項１】
ケースに設けられたベアリングによって回転自在に支持された風車羽根と、風車羽根の回転力をエアタンクを備えたエアコンプレッサーに伝達する歯車伝達部と、エアタンク内の圧搾空気を水中に導く送気パイプと、水中に配した送気パイプに複数開けられた小穴を有する風力環境浄化装置。
【請求項２】
ケースに設けられたベアリングによって回転自在に支持された風車羽根と、風車羽根の回転力をエアタンクを備えたエアコンプレッサーに伝達するＶベルト伝達部と、エアタンク内の圧搾空気を水中に導く送気パイプと、水中に配した送気パイプに複数開けられた小穴を有する風力環境浄化装置。
【手続補正２】
【補正対象書類名】明細書
【補正対象項目名】全文
【補正方法】変更
【補正の内容】
【考案の詳細な説明】
【技術分野】
【０００１】  本考案は湖沼等の水の浄化装置に関し、特に自然の風によって回転される風車にて駆動される湖沼等の水の浄化装置に関するものである。
【背景技術】
【０００２】  一時代前は、美しかった海や湖沼、沼、池などが、その周囲に居住する人口の増加による生活廃水の増加や、同じく周囲に立地し、あるいは湖沼に流入する河川の付近に立地する工場からの化学洗剤、化学薬品の流入により急激に汚染が進行している。【０００３】  又、河川から工業用水として取水されている場合は河川水量の減少を来たし、湖沼の汚濁、アオコや異臭の発生など水質の悪化が問題となっている。【０００４】  従来から、湖沼の浄化装置はいくつか提案されているが、その主なものは電気機器で駆動される爆気装置あるいは撹拌装置である。
【考案の開示】
【考案が解決しようとする課題】
【０００５】  従来の浄化装置は前記のように電気で駆動運転するようになっているので電源が必要である。電源としては電池や太陽電池、風力発電機、あるいは商用電源が考えられるが、電池は寿命が短く、太陽電池は高価であり、商用電源の場合は人里離れた湖沼まで電線を引かなければならず、実用性や設置等で問題点を有している。【０００６】  又、電気を使用することから漏電事故や感電事故も予想され、安全性の面でも大きな課題を有している。【０００７】  本考案はこれらの諸点に着目し、自然エネルギーである風力を利用して風車を回転し、この風車でエアコンプレッサーを駆動して圧搾空気を生成し、この圧搾空気を湖沼の底面部に放出するようにして湖沼の水質を改善することを目的とするものである。
【課題を解決するための手段】
【０００８】  前記目的は、ケースに設けられた２個のベアリングによって回転自在に支持された風車羽根と、風車羽根の回転力をエアタンクを備えたエアコンプレッサーに伝達する歯車伝達部あるいはＶベルト伝達部と、エアタンク内の圧搾空気を湖底に導く送気パイプと、湖底に配した送気パイプに複数開けられた小穴を有する風力を利用した湖沼の浄化装置によって達成される。
【考案の効果】
【０００９】  本考案は前記手段により、風力によって圧搾空気を湖沼の底部から放出することができ、アオコノ発生、動植物の死滅、悪臭の発生を防止することができる。【００１０】  又、電気を使用しないことから電気に起因する事故を防止し、更に人里離れた場所にも簡単に設置することができる効果を奏するものである。
【考案を実施するための最良の形態】
【実施例１】
【００１１】  以下本考案の一実施例を図１に基づいて説明する。  １は風車羽根で２はこの風車羽根１の回転軸である。回転軸２は方向舵兼用のケース１４の前に設けられたベアリング１３、同じく後方に設けられたベアリング１３によって回転自在に支持されている。【００１２】  ３はエアコンプレッサーで４はそのエアを溜めるエアタンクである。【００１３】  前記回転軸２には歯車９が設けられ、この歯車９は前記コンプレッサー３に設けられた歯車９に噛合わされている。【００１４】  前記した構成ユニットは支持枠６の上端に設けられている。【００１５】  前記エアタンク４には送気パイプ５あるいは送気ホースが接続され、その先端は前記方向舵兼用のケース１４から下方に取り出され、更に湖底７に沿って水平方向に曲げられて配置されている。水平方向に曲げられた送気パイプ５の複数箇所には小穴１５が開けてあり、送気パイプ５から送られてきた空気はこれらの小穴１５から水中に図示のように放出される。１２はその気泡、８は湖沼の水面を示している。【００１６】  又、支持枠６の上方には送気パイプ５を挿通ガイドするベアリング１３が設けられている。【００１７】  そして風によって風車羽根１が回転すると回転軸２が回転し、この回転は歯車９、９を介してエアコンプレッサー３を作動することになる。エアコンプレッサー３が作動し、エアタンク４に溜められた空気の圧力が所定の圧力より高まると圧搾空気は送気パイプに設けた小穴１５から水中に放出され、結果として水が循環し、汚濁防止やアオコの発生等が防止されるものである。
【実施例２】
【００１８】  図２に基づいて実施例２について説明する。  図２の例は図１の歯車駆動方式をベルト駆動方式に置き換えたもので他の構成は実施例１と同様の構成である。【００１９】  図において、回転軸２とエアコンプレッサー３には夫々プーリー１０が設けてあり、これらのプーリー１０間にはＶベルト１１が巻装されている。【００２０】  この構成において、風車羽根１が風によって回転されると実施例１と同様にしてエアコンプレッサー３が作動され、空気が送気パイプ５に設けた小穴１５から水中に放出され、前記と同様にして水が循環し、汚濁防止やアオコの発生等が防止されるものである。
【図面の簡単な説明】
【００２１】
【図１】本考案の第１の実施例を示す歯車駆動方式の全体側面図。
【図２】本考案の第２の実施例を示すベルト駆動方式の全体斜面図。
【符号の説明】
【００２２】  １  風車羽根  ２  回転軸  ３  エアコンプレッサー  ４  エアタンク  ５  送気パイプ  ６  支持枠  ７  湖底  ８  水面  ９  歯車１０  プーリー１１  Ｖベルト１２  気泡１３  ベアリング１４  ケース１５  小穴